(57)【特許請求の範囲】
【請求項１】
ＩＳＤＮ回線のＬＩ点を終端するとともにＳ／Ｔ点インターフェースに変換する回線終端装置と、メタルケーブル４線による前記Ｓ／Ｔ点インターフェースをメタルケーブル２線の２線インターフェースに変換する４線２線変換装置と、前記２線インターフェースをメタルケーブル４線によるＳ／Ｔ点インターフェースに変換する２線４線変換装置と、前記２線４線変換装置のＳ／Ｔ点インターフェースに接続する端末装置とを備え、前記メタルケーブル２線と前記２線４線変換装置とにより任意の位置にＳ／Ｔ点インターフェースを設置して前記端末装置を接続するようにしたデジタル端末装置。
【請求項２】
回線終端装置のＳ／Ｔ点インターフェースに接続したテレメータ端末装置と、前記テレメータ端末装置に接続したメータセンサとを備えた請求項１記載のデジタル端末装置。
【請求項３】
回線終端装置と４線２線変換装置とテレメータ端末装置とを同一筺体内に収納するとともに、ＬＩ点、４線２線変換装置の２線インターフェース、およびメータセンサの各外部接続端子のみ設け、それぞれをネジ止めで前記筺体の外部の配線と接続するようにした請求項２記載のデジタル端末装置。
【請求項４】
回線終端装置と４線２線変換装置とテレメータ端末装置とを互いにＳ／Ｔ点インターフェースで接続するのではなく、トランジスタ回路で結合した請求項３記載のデジタル端末装置。
【請求項５】
ＩＳＤＮ回線から電力を供給される回線電源装置を備え、前記回線電源装置から回線終端装置と４線２線変換装置とテレメータ端末装置とに電力を供給するようにした請求項２ないし４のいずれか１項記載のデジタル端末装置。
【請求項６】
太陽電池を搭載し、前記太陽電池から回線終端装置と４線２線変換装置とテレメータ端末装置とに電力を供給するようにした請求項２ないし４のいずれか１項記載のデジタル端末装置。
【発明の詳細な説明】
【０００１】
【発明の属する技術分野】
本発明は、屋内外のガスメータなどのメータセンサや、パーソナルコンピュータなどの端末装置をＩＳＤＮ回線に接続するためのデジタル端末装置に関する。
【０００２】
【従来の技術】
ＩＳＤＮ回線はメタルケーブル２線により各家庭に提供され、このインターフェースをＬＩ点インターフェースと呼んでいる。通常、保安器を介して屋内に引き込まれ、回線終端装置に接続される。回線終端装置はＳ／Ｔ点インターフェースと呼ぶメタルケーブル４線のインターフェースに変換する。このＳ／Ｔ点インターフェースにバス状にパーソナルコンピュータなどの端末装置が接続される形態がとられている。最も多い接続形態は、ターミナルアダプタと呼ばれる装置を利用してＳ／Ｔ点インターフェースにアナログ電話機や、パーソナルコンピュータを接続する形態である。また、特開平３−３５６８７号公報に開示されているように、回線終端装置はターミナルアダプタなどの端末装置に内蔵する形態もある。特開平７−３８６２１号公報では回線終端装置内に自動検針などのテレメータ端末装置を内蔵する手段が開示されているが、屋内へはメタルケーブル４線のＳ／Ｔ点インターフェースを提供する提案がなされている。
【０００３】
【発明が解決しようとする課題】
このような従来のデジタル端末装置では、メタルケーブル４線を主体とするので、種々の問題がある。
【０００４】
（１）従来のアナログ電話網に端末装置を接続する場合、端末装置までメタルケーブル２線を敷設して接続する。ＩＳＤＮ回線に切り替える場合、メタルケーブル４線を利用したＳ／Ｔ点インターフェースにバス状に端末装置を接続する形態であるため、メタルケーブル４線を新たに敷設しなければならない。
【０００５】
たとえば、ビル内の異なる場所に設置されている２台のアナログ電話機を、端末装置の１つであるＩＳＤＮ電話機に置き換える場合、つぎのような問題がある。通常、公衆アナログ電話回線は、ビルの所定の箇所から集配線ボックス（以下、ＭＤＦと称す）に引き込まれ、前記ＭＤＦからアナログ電話機の設置位置まで敷設される構内のメタルケーブル２線と接続される形態となっている。ＩＳＤＮ回線網の１回線に２台のＩＳＤＮ用の端末装置を接続する場合、２台の端末装置はＳ／Ｔ点インターフェースに接続する必要がある。回線終端装置を一方の端末装置の設置位置に設置すると、他方の端末装置を回線終端装置と接続するためには前記２つの端末装置の設置位置間にメタルケーブル４線を敷設して接続しなければならない。
【０００６】
（２）通常、各家庭の電話回線は、屋外に設置される保安器から屋内にメタルケーブル２線で引き込まれている。したがって、ＩＳＤＮ回線の端末装置を屋外にも設置しようとすると、回線終端装置を屋外に設置し、メタルケーブル４線を屋外と屋内との両方に敷設しなければならない。
【０００７】
（３）屋外に回線終端装置やテレメータ端末を設置する場合、一般的なモジュラプラグ・ジャックによる接続では腐食などに起因する接触不良が考えられるとともに、ケーブル配線などに大変手間がかかる。
【０００８】
（４）屋外への回線終端装置やテレメータ端末を個別に設置するとコスト高となる。
【０００９】
（５）ガスメータを接続するとともにアナログ電話回線に接続して自動検針通報するテレメータ端末は、電池を電源として利用している。しかし、ＩＳＤＮ回線に接続するテレメータ端末装置を実現するためには、少量の電池電源では高速処理および常時の受信待機に対応できない。しかも、屋外設置であるためにＡＣ電源を確保しにくく、また停電時には動作できない。なお、回線終端装置には局から供給される電力で動作するものがある。
【００１０】
本発明は上記の課題を解決するもので、配線が容易なメタルケーブル２線を用い、また敷設済みのメタルケーブル２線を活用して、Ｓ／Ｔ点インターフェースを端末装置の設置位置に容易に展開設置でき、また、屋外にも容易、かつ高い信頼性で端末装置を設置でき、また、屋外でも電源を容易に確保でき、さらに設置工事が簡単なデジタル端末装置を提供することを目的とする。
【００１１】
【課題を解決するための手段】
請求項１に係わる本発明は、ＩＳＤＮ回線のＬＩ点を終端して接続する回線終端装置のＳ／Ｔ点インターフェースを、４線２線変換装置、メタルケーブル２線、２線４線変換装置の順に接続して任意の位置まで延長し、そのＳ／Ｔ点インターフェースに端末装置を接続するようにしたデジタル端末装置である。
【００１２】
これにより、Ｓ／Ｔ点インターフェースを４線２線変換装置と２線４線変換装置とによりメタルケーブル２線で延長し、そのＳ／Ｔ点インターフェースに端末装置を接続できる。なお、回線終端装置のＳ／Ｔ点インターフェースには他の装置を接続してもよいことは言うまでもない。
【００１３】
請求項２に係わる本発明は、回線終端装置のＳ／Ｔ点インターフェースにテレメータ端末装置を接続して設けた請求項１に係わるデジタル端末装置である。
【００１４】
これにより屋内と屋外をメタルケーブル２線で接続する形態であっても、屋外に回線終端装置およびテレメータ端末装置を設置し、屋内に端末装置を設置することができ、屋外と屋内とにそれぞれ端末装置を設置するようにできる。
【００１５】
請求項３に係わる本発明は、回線終端装置と４線２線変換装置とテレメータ端末装置とを同一筺体内に収納するとともに、ＬＩ点の接続端子、４線２線変換装置の２線インターフェースの接続端子、およびテレメータ端末装置からメータセンサへの接続端子をそれぞれ外部接続端子として設け、それぞれネジ止めで筺体外部の配線と接続するようにした請求項２に係わるデジタル端末装置である。
【００１６】
これにより、工事時のケーブリング配線箇所数を低減することができ、また、外気から遮蔽して信頼性を高めることができる。
【００１７】
請求項４に係わる本発明は、回線終端装置と４線２線変換装置とテレメータ端末装置とを互いにＳ／Ｔ点インターフェースで接続するのではなく、トランジスタ回路で結合するようにしたデジタル端末装置である。
【００１８】
これにより、Ｓ／Ｔ点インターフェースで接続する場合に比べ、トランスや直流電源電圧供給回路を省くことができる。
【００１９】
請求項５に係わる本発明は、ＩＳＤＮ回線から電力供給を受け、回線終端装置と４線２線変換装置とテレメータ端末装置とに電力を供給するようにしたデジタル端末装置である。
【００２０】
これにより、回線終端装置、４線２線変換装置、およびテレメータ端末装置は、局からＩＳＤＮ回線を通じて電力を供給され、エネルギー源を容易に確保できるとともに、停電の恐れもない。
【００２１】
請求項６に係わる本発明は、太陽電池を搭載し、回線終端装置と４線２線変換装置とテレメータ端末装置とに電力を供給するようにしたデジタル端末装置である。
【００２２】
これにより、回線終端装置、４線２線変換装置、およびテレメータ端末装置の各装置を太陽電池から供給される電力を利用して動作し、屋外に設置する利点として太陽エネルギーを活用することができる。
【００２３】
【発明の実施の形態】
請求項１ないし請求項６において、４線２線変換装置は４線全２重のＳ／Ｔ点インターフェースを半２重のインターフェースに変換する手段を意味し、また、２線４線変換装置は２線半２重のインターフェースを４線全２重のＳ／Ｔ点インターフェースに変換する手段を意味し、いずれも従来手段のものを用いることができる。屋外に４線２線変換手段を設置し、その２線半二重のインターフェースをメタルケーブル２線により屋外から屋内に延長した先に２線４線変換手段を接続し、その出力を屋内のＳ／Ｔ点インターフェースとする。したがって、たとえば屋外と屋内とがメタルケーブル２線で接続される形態の場合でも、屋外の回線終端装置のＳ／Ｔ点インターフェースとは別に、屋内のＳ／Ｔ点インターフェースを設けることができる。その他は記載の通りである。
【００２４】
以下、実施例について説明する。
（実施例１）
以下、本発明のデジタル端末装置の実施例１について図面を参照しながら説明する。
【００２５】
図１は本実施例の構成を示すブロック図である。図において、ＩＳＤＮ回線のＬＩ点７を終端して接続するとともに、Ｓ／Ｔ点インターフェース６ａに変換する回線終端装置１と、メタルケーブル４線によるＳ／Ｔ点インターフェース６ａをメタルケーブル２線の２線インターフェース５ａに変換する４線２線変換装置２ａと、２線インターフェース５ａをメタルケーブル４線によるＳ／Ｔ点インターフェース６ｂに変換する２線４線変換装置３ａと、２線４線変換装置３ａのＳ／Ｔ点インターフェース６ｂに接続する端末装置４ａと、メタルケーブル４線によるＳ／Ｔ点インターフェース６ａをメタルケーブル２線の２線インターフェース５ｂに変換する４線２線変換装置２ｂと、２線インターフェース５ｂをメタルケーブル４線によるＳ／Ｔ点インターフェース６ｃに変換する２線４線変換装置３ｂと、２線４線変換装置３ｂのＳ／Ｔ点インターフェース６ｃに接続する端末装置４ｂとでデジタル端末装置を構成している。なお、回線終端装置１と４線２線変換装置２ａおよび４線２線変換装置２ｂとはビル内のＭＤＦ付近に設置し、２線４線変換装置３ａは端末装置４ａの側に、２線４線変換装置３ｂは端末装置４ｂの側に設置する。
【００２６】
以上のように本実施例によれば、Ｓ／Ｔ点インターフェースを、４線２線変換装置と２線４線変換装置を介して、既に敷設されているメタルケーブル２線を使用して遠隔位置に延長し、延長したＳ／Ｔ点インターフェース６ｂおよび６ｃに端末装置を接続することができ、改めてメタルケーブル４線を敷設することなくデジタルの端末装置を接続することができる。
【００２７】
なお、本実施例では２組の２線４線変換装置と４線２線変換装置とにより延長する場合について説明したが、さらに多数組により延長してそれぞれに端末装置を接続できることは言うまでもない。
【００２８】
（実施例２）
以下、本発明のデジタル端末装置の実施例２について図面を参照しながら説明する。
【００２９】
図２は本実施例の構成を示すブロック図である。図において、ＩＳＤＮ回線のＬＩ点７を終端して接続するとともにＳ／Ｔ点インターフェース６ａに変換する回線終端装置１と、メタルケーブル４線による前記Ｓ／Ｔ点インターフェース６ａをメタルケーブル２線の２線インターフェース５に変換する４線２線変換装置２とを屋外に設置するとともに、２線インターフェース５は屋内に設置した２線４線変換装置３とメタルケーブル２線により接続され、その２線４線変換装置３のＳ／Ｔ点インターフェース６ｂに端末装置４を接続する。さらに、屋外のガスメータなどのメータセンサ９を接続するテレメータ端末装置８を屋外に設置して回線終端装置１のＳ／Ｔ点インターフェース６ａに接続している。
【００３０】
以上のように本実施例によれば、屋内と屋外とをメタルケーブル２線によリ接続し、屋外と屋内とにそれぞれＳ／Ｔ点インターフェース６ａと６ｂとを設けることができるため、屋外にもテレメータ端末装置８を設置することができる。
【００３１】
（実施例３）
以下、本発明のデジタル端末装置の実施例３について説明する。なお、本実施例の全体の構成は図２に示した構成と同じである。本実施例では、屋外に設置する回線終端装置１、４線２線変換装置２、およびテレメータ端末装置８の各装置を同一筺体内に収納し、外部接続端子として、ＬＩ点との接続端子、４線２線変換装置２の２線インターフェースとの接続端子、メータセンサ９との接続端子のみを設け、それぞれネジ止めで接続するようにした構成とする。
【００３２】
以上のように本実施例によれば、屋外に設置する各装置を同一筺体内に収納し、外部の配線とネジ止めにより接続するようにしたことにより、設置工事のケーブリング配線が少なくて済むとともに、全体の信頼性を向上させることができる。
【００３３】
（実施例４）
以下、本発明のデジタル端末装置の実施例４について説明する。本実施例の構成は図２と同じである。本実施例が実施例３と異なる点は、回線終端装置１と４線２線変換装置２とテレメータ端末装置８とを互いにＳ／Ｔ点インターフェースで接続せず、トランジスタ回路で結合することにある。
【００３４】
これにより、相互に信号のみを伝達し合えばよいので、Ｓ／Ｔ点インターフェースで接続する場合に比べて、回線トランスや直流電源電圧供給回路が不要となる。
【００３５】
以上のように本実施例によれば、回線終端装置１と４線２線変換装置２とテレメータ端末装置８とを互いにトランジスタ回路を介して結合することにより、全体の構成を簡単にでき、低コストのデジタル端末装置を実現することができる。
【００３６】
（実施例５）
以下、本発明のデジタル端末装置の実施例５について説明する。図３は本実施例の構成を示すブロック図である。なお、全体の構成は図２と同じである。図３において、回線終端装置１、４線２線変換装置２、およびテレメータ端末装置８と、ＬＩ点７からＩＳＤＮ回線から電力供給を受け、回線終端装置１、４線２線変換装置２、およびテレメータ端末装置８の各装置に電力を供給する回線電源装置１０を備えている。
【００３７】
上記構成において、回線終端装置１、４線２線変換装置２、およびテレメータ端末装置８の各装置は、局からＩＳＤＮ回線を通じて供給される電力を利用して動作する。
【００３８】
以上のように本実施例によれば、回線電源装置１０により局からＩＳＤＮ回線を介して電力を供給するようにしたことにより、屋外に設置する場合に容易に電源を確保でき、かつ停電などの恐れもない。
【００３９】
（実施例６）
以下、本発明のデジタル端末装置の実施例６について説明する。本実施例では太陽電池を搭載し、前記太陽電池から回線終端装置１、４線２線変換装置２、およびテレメータ端末装置８の各装置に電力を供給する。
【００４０】
以上のように本実施例によれば、回線終端装置１、４線２線変換装置２、およびテレメータ端末装置８の各装置を前記太陽電池から供給される電力により駆動させることができ、電源を容易に確保することができる。
【００４１】
なお、前記太陽電池には、発生した電気エネルギーを２次電池などに蓄積して供給する手段を備えてもよいことは言うまでもない。
【００４２】
【発明の効果】
請求項１に係わる本発明は、ＩＳＤＮ回線のＬＩ点を終端して接続する回線終端装置のＳ／Ｔ点インターフェースを、４線２線変換装置、メタルケーブル２線、２線４線変換装置の順に接続して任意の位置まで延長し、そのＳ／Ｔ点インターフェースに端末装置を接続するようにしたデジタル端末装置とすることにより、回線終端装置のＳ／Ｔ点インターフェースを４線２線変換装置とメタルケーブル２線を介した２線４線変換装置とにより任意の位置に延長し、そのＳ／Ｔ点インターフェースの端末装置を接続でき、メタルケーブル２線のみが敷設された場所にもＳ／Ｔ点インターフェースを設けることができる。
【００４３】
請求項２に係わる本発明は、回線終端装置のＳ／Ｔ点インターフェースにテレメータ端末装置を接続した請求項１に係わるデジタル端末装置とすることにより、たとえば屋内と屋外をメタルケーブル２線で接続する形態であっても屋外と屋内とにそれぞれＳ／Ｔ点インターフェースを設置して、屋外にもテレメータ端末を設置することができる。
【００４４】
請求項３に係わる本発明は、回線終端装置と４線２線変換装置とテレメータ端末装置と同一筺体内に収納するとともに、ＬＩ点の接続端子、４線２線変換装置の２線インターフェースの接続端子、およびメータセンサの接続端子のみを外部接続端子として設け、それぞれネジ止めで配線と接続するようにしたデジタル端末装置とすることにより、工事時のケーブリング配線箇所数を低減することができるとともに工事ミスも低減でき、また、外気から遮蔽して信頼性を高めることができる。
【００４５】
請求項４に係わる本発明は、回線終端装置と４線２線変換装置とテレメータ端末装置とを互いにＳ／Ｔ点インターフェースで接続するのではなく、トランジスタ回路で結合するようにしたデジタル端末装置とすることにより、Ｓ／Ｔ点インターフェースで接続する場合に比べ、トランスや直流電源電圧供給回路を省くことができ、安価なデジタル端末装置を実現することができる。
【００４６】
請求項５に係わる本発明は、ＩＳＤＮ回線から電力供給を受け、回線終端装置と４線２線変換装置とテレメータ端末装置とに電力を供給するようにしたデジタル端末装置とすることにより、回線終端装置、４線２線変換装置、およびテレメータ端末装置は、局からＩＳＤＮ回線を通じて電力を供給され、ＡＣ電源のない場所でもエネルギー源を容易に確保できるとともに、停電の恐れもなく、電池電源などを用いないので、バックアップの必要もない。
【００４７】
請求項６に係わる本発明は、太陽電池を搭載し、回線終端装置と４線２線変換装置とテレメータ端末装置とに電力を供給するようにしたデジタル端末装置とすることにより、回線終端装置、４線２線変換装置、およびテレメータ端末装置の各装置を太陽電池から供給される電力を利用して動作させ、屋外に設置する利点として太陽エネルギーを活用することができる。
【図面の簡単な説明】
【図１】本発明のデジタル端末装置の実施例１の構成を示すブロック図
【図２】本発明のデジタル端末装置の実施例２の構成を示すブロック図
【図３】本発明のデジタル端末装置の実施例５の構成を示すブロック図
【符号の説明】
１  回線終端装置
２、２ａ、２ｂ  ４線２線変換装置
３、３ａ、３ｂ  ２線４線変換装置
４、４ａ、４ｂ  端末装置
５、５ａ、５ｂ  ２線インターフェース
６ａ、６ｂ、６ｃ  Ｓ／Ｔ点インターフェース
７  ＬＩ点
８  テレメータ端末装置
９  メータセンサ
１０  回線電源装置
【図１】
0003687265.tif 000002
【図２】
0003687265.tif 000003
【図３】
0003687265.tif 000004